(57)【要約】【課題】同軸ケーブルから外す際の作業性がよい同軸コネクタ、さらに防水機能がより高く内部に浸水しない構造を付加した同軸コネクタを提供すること。【解決手段】先端がＦＴ型同軸コネクタで、後端は、外側導体が金属パイプである同軸ケーブルを差込んで、外周に設けられた内周ネジ付きリング１を回動することにより、割り付きテーパ部を持った環状部材を有する圧迫機構を作動させて径方向内方への圧迫力を与えて前記同軸ケーブルと固定、接続するように構成された同軸コネクタにおいて、前記環状部材６に、前記内周ネジ付きリングに径方向内方から係合する突起部６ｃを設け、前記内周ネジ付きリングを弛め方向に回動操作することにより、前記圧迫機構による前記同軸ケーブルとの固定、接続関係を弛めるようにした同軸コネクタ、および前記内周ネジ付きリングの径方向内方に配される各部材の相互当接部に防水用部材２，３，５を嵌装した同軸コネクタ。【選択図】図１
0003141761.tif 000002
【実用新案登録請求の範囲】
【請求項１】
先端がＦＴ型同軸コネクタで、後端は、外側導体が金属パイプである同軸ケーブルを差込んで、外周に設けられた内周ネジ付きリングを回動することにより、割り付きテーパ部を持った環状部材を有する圧迫機構を作動させて径方向内方への圧迫力を与えて前記同軸ケーブルと固定、接続するように構成された同軸コネクタにおいて、
前記環状部材に、前記内周ネジ付きリングに径方向内方から係合する突起部を設け、
前記内周ネジ付きリングを弛め方向に回動操作することにより、前記圧迫機構による前記同軸ケーブルとの固定、接続関係を弛めるようにしたことを特徴とする同軸コネクタ。
【請求項２】
請求項1記載の同軸コネクタにおいて、
前記突起部は、前記環状部材の外周をかしめ加工して形成したものであることを特徴とする同軸コネクタ。
【請求項３】
請求項１記載のコネクタにおいて、
前記内周ネジ付きリングの径方向内方に配される各部材の相互当接部に防水用部材を嵌装したことを特徴とする同軸コネクタ。
【請求項４】
請求項３記載の同軸コネクタにおいて、
前記防水用部材は、前記内周ネジ付きリングと前記同軸ケーブルとが当接する部分に嵌装されたことを特徴とする同軸コネクタ。
【請求項５】
請求項３記載の同軸コネクタにおいて、
前記防水用部材は、前記内周ネジ付きリングと前記内周ネジ付きリングの作用力を前記環状部材に伝達する部材との間にも嵌装されたことを特徴とする同軸コネクタ。
【考案の詳細な説明】
【技術分野】
【０００１】
本考案は、例えばケーブルＴＶネットワークの幹線用同軸ケーブルを接続するための同軸コネクタに係わり、とくにバックナットと称されるケーブル接続作業用ナットを有する同軸コネクタに関する。
【背景技術】
【０００２】
ケーブルＴＶネットワークの幹線に用いる同軸ケーブルは、外側導体がアルミニウムパイプで形成されていて全体的に剛性の高いものである。そして、その同軸ケーブルに装着される同軸コネクタは、同軸ケーブルの剛性を利用して接続作業ができるように構成され、コネクタ中心部に仕上げ処理した同軸ケーブルを挿入して中心導体の接続を行った後、バックナットを締め込むことにより同軸ケーブルの外側導体に割り付きテーパ部を持った環状部材を押圧固定して作業を完了する（特許文献１参照）。
【特許文献１】特開平６−２９０６２号公報
【考案の開示】
【考案が解決しようとする課題】
【０００３】
この同軸コネクタは、同軸ケーブルと強固に接続でき、しかも作業性もよいものである。
【０００４】
しかしながら、何らかの理由で同軸ケーブルから外そうとすると、簡単には外れず、その意味で作業性が悪いという問題がある。
【０００５】
また、ケーブルＴＶネットワークの幹線は屋外に設置されるから完全な防水構造が必要であるが、必ずしも十分ではなく、コネクタ内部に浸水することがある。
【０００６】
本考案は上述の点を考慮してなされたもので、同軸ケーブルから外す際の作業性がよい同軸コネクタを提供することを目的とする。
【０００７】
また、防水機能がより高く内部に浸水しない構造を持った同軸コネクタを提供することをもう一つの目的とする。
【課題を解決するための手段】
【０００８】
上記目的達成のため、本願は、下記第1および第２の考案を提供する。
【０００９】
第1の考案は、先端がＦＴ型同軸コネクタで、後端は、外側導体が金属パイプである同軸ケーブルを差込んで、外周に設けられた内周ネジ付きリングを回動することにより、割り付きテーパ部を持った環状部材を有する圧迫機構を作動させて径方向内方への圧迫力を与えて前記同軸ケーブルと固定、接続するように構成された同軸コネクタにおいて、
前記環状部材に、前記内周ネジ付きリングに径方向内方から係合する突起部を設け、
前記内周ネジ付きリングを弛め方向に回動操作することにより、前記圧迫機構による前記同軸ケーブルとの固定、接続関係を弛めるようにしたことを特徴とする同軸コネクタ、である。
【００１０】
また、第２の考案は、第1の考案における前記内周ネジ付きリングの径方向内方に配される各部材の相互当接部に防水用部材を嵌装したことを特徴とする同軸コネクタ、である。
【考案の効果】
【００１１】
本考案は上述のように、内周ネジ付きリングに径方向内方から係合する環状部材に突起部を設け、内周ネジ付きリングを緩める際に環状部材による同軸ケーブルを固定、接続する作用力を弛めるようにしたため、簡単に同軸ケーブルから外すことができる。
【００１２】
また、内周ネジ付きリングの径方向内方に配される各部材の相互当接部に防水部材を配したため、防水性の良好な同軸コネクタを提供することができる。
【考案を実施するための最良の形態】
【００１３】
以下、添付図面を参照して本考案の実施の形態を説明する。  
【実施例１】
【００１４】
図１は、本考案の実施例１の構成を示したものである。この図1は、同軸コネクタ１００に、予め中心導体２０１および外側導体２０３が軸方向端部から突出するように絶縁層２０２および外被２０４が除去加工された同軸ケーブル２００を、図示左側から挿入して接続しようとする状態を示している。
【００１５】
同軸コネクタ１００は、図示右端が同軸コネクタのメールコネクタであり、図示左端に同軸ケーブルの挿入口がある。この挿入口に、内周ネジ付きリングであるバックナット１が配され、その径方向内方に、ほぼ軸方向に沿って、防水部材であるガスケット２、外周面に防水部材であるＯリング３が嵌装されたプッシャ４、防水部材であるガスケット５、割り付きテーパ部を持った環状部材である金属コレット６、金属コレット６と対応するテーパ面を持ったテーパカラー７、プッシャ８、およびスリーブ９が配されている。
【００１６】
ここで、ガスケット２，５およびＯリング３によりバックナット１のケーブル側が浸水防止されていること、また、反ケーブル側にＯリング１０が設けられていることにより、金属コレット６周りの空間の防水性が高められた構成となっている。
【００１７】
これらの同軸コネクタを構成する各要素によって、同軸ケーブル２００の外側導体２０３、つまりアルミニウムパイプを同軸コネクタの外側導体に締付接続する機能が果たされる。
【００１８】
そして、バックナット１の図示右端よりもさらに右側には、防水部材であるＯリング１０、同軸ケーブルの中心導体を案内する樹脂アクチュエータ１１、同軸コネクタをフィメールコネクタ（図示せず）に接続する際に機能するフロントナット１２、同軸ケーブルの中心導体２０１が圧入されたコンタクトピンを中心位置に支持するピン受け用樹脂コレット１３、防水部材であるＯリング１４、および同軸コネクタの中心導体であるコンタクトピン１５が順次配されている。
【００１９】
同軸コネクタ１００に同軸ケーブル２００を接続するには、次のような手順による。このとき、同軸ケーブル２００が事前に、所定の加工が施されて図示の状態になっていることは前述の通りである。  
この同軸ケーブル２００の図示右端に、同軸コネクタ１００を図示左側から挿入していくと、同軸コネクタ１００のスリーブ９の左端が同軸ケーブル２００の外側導体２０３の右端に当接するか、外側導体２０３の内周に若干入り込んで金属コレット６の内周面に当接する。
【００２０】
そこで、同軸コネクタ１００を、同軸ケーブル２００に向けて止まるまで軸方向に押し込んでいく。それにより、外側導体２０３の図示右端がスリーブ９に突き当たるまで差し込まれ、このとき同軸ケーブル２００の中心導体２０１が同軸コネクタ１００のコンタクトピン１５の図示左端に設けられた長孔に圧入される。
【００２１】
次いで、バックナット１を、軸線を中心に回転させてフロントナット１２の図示左端外周に設けられたネジ部とバックナット１の図示右端寄り内周に設けられたネジ部とをできるだけ深く係合させる。これにより、金属コレット６は、その外周に設けられたテーパ面６ａが、テーパカラー７の内周面に設けられたテーパ面７ａに沿って案内され、径方向内方への圧迫作用力を受ける。
【００２２】
金属コレット６は、弾性金属製であり、軸方向または軸方向に斜めの割り（図示せず）が入れられており、コネクタ組立時に、バックナット１の内部に嵌装されている。
【００２３】
テーパ面６ａが、テーパカラー７のテーパ面７ａとの摺動係合によって径方向内方に押圧されると、同軸ケーブル２００の外被２０３に圧接され、さらに内周面の凹凸が外被２０３に食い込む。
【００２４】
そして、バックナット１の図示右端がフロントナット１２の図示左端に当接すると、同軸ケーブル１００の外側導体２０３は、金属コレット６により強固に保持された状態となる。
【００２５】
この状態で、同軸コネクタ１００と同軸ケーブル２００との接合面は、防水部材であるガスケット２、Ｏリング３、ガスケット５およびＯリング１０により厳重な防水状態にある。したがって、同軸コネクタ１００と同軸ケーブル２００との間での浸水は防止される。また、同軸コネクタ１００の右側、つまりフィメールコネクタ（図示せず）との当接部では、Ｏリング１４が防水作用を果たす。この結果、ケーブルＴＶネットワークの幹線に設置された状態であっても十分な防水状態が保たれる。
【００２６】
次に、バックナット１を弛めるときを説明する。バックナット１を弛めると、バックナット１は、同軸コネクタ１００に対して図示左方向に進むことになる。
【００２７】
バックナット１の内周面には、環状の凹面１ａが形成されている。この凹面１ａは、金属コレット６が図示左方向に進むと、コレット６の外周部にかしめ加工により設けられた突起部６ｃと当接する。
【００２８】
したがって、バックナット１が図示左方向に進むと、バックナット１の内周に設けられた凹面１ａがコレット６の突起部６ｃを図示左方向に押圧して、共に図示左方向に移動していく。
【００２９】
この結果、金属コレット６に対するテーパカラー７による径方向内方への押圧力が弛み、同軸コネクタ１００を図示右方向に引っ張れば、同軸ケーブル２００から引き外せる。
【図面の簡単な説明】
【００３０】
【図１】本考案の一実施例の構成を示す説明図。
【符号の説明】
【００３１】
１００  同軸コネクタ、１  バックナット、２  ガスケット（防水部材）、
３  Ｏリング（防水部材）、４  プッシャ、５  ガスケット（防水部材）、
６  金属コレット（環状部材）、７  テーパカラー、８  プッシャ、
９  スリーブ、１０  Ｏリング（防水部材）、１１  樹脂アクチュエータ、
１２  フロントナット、１３  樹脂コレット、１４  Ｏリング、
１５  コンタクトピン、２００  同軸ケーブル、２０１  中心導体、
２０２  絶縁層、２０３  外側導体、２０４  外被。
【図１】
0003141761.tif 000003